(57)【要約】【課題】  従来の技術では、弁当箱の御飯の片寄りを防ぐために取り付けた多数箇所の凹凸突起や多数個のヘラの構造が複雑である。そのため利用者が使いにくく、コストもかかり、そして洗いにくい。【解決手段】  蓋２と容器本体１を備える弁当箱において、容器本体１の上面開口部に蓋２を閉じたときに、容器本体内の内容物Ｍを上から押さえる押さえ部３を蓋の裏面４に設け、押さえ部３の縦断面形状を、蓋の縁部から中心部へ向かうに従って、容器本体側に滑らかに膨出する形状としたことを特徴とするものである。これにより、御飯の片寄りをなくし、構造が簡単で、洗いやすく、使いやすくしたものである。【選択図】図１
2007283020.tif 000002
【特許請求の範囲】
【請求項１】
蓋と容器本体を備える弁当箱において、容器本体の上面開口部に蓋を閉めたときに、容器本体内の内容物を上から押さえる押さえ部を蓋の裏面に設け、押さえ部の縦断面形状を、蓋の縁部から中心部へ向かうに従って、容器本体側に滑らかに膨出する形状としたことを特徴とする弁当箱。
【請求項２】
請求項１記載の弁当箱において、押さえ部の縦断面形状を円弧形状としたことを特徴とする弁当箱。
【請求項３】
請求項１または請求項２記載の弁当箱において、蓋の裏面に設けた押さえ部を中空構造にして、弁当箱の付属物を収納できるようにしたことを特徴とする弁当箱。
【請求項４】
蓋と容器本体を備える弁当箱において、容器本体の上面開口部に蓋を閉めたときに、容器本体内の仕切りにより仕切られた内容物を上から押さえる押さえ部を蓋の裏面に設け、押さえ部の縦断面形状を、蓋の縁部から中心部に向かうに従って、容器本体側に滑らかに膨出する形状としたことを特徴とする弁当箱。
【発明の詳細な説明】
【技術分野】
【０００１】
本発明は、持ち運びによる御飯等の内容物の片寄りを軽減できる弁当箱に関するものである。
【背景技術】
【０００２】
従来の弁当箱は通学時にカバンに入れて持ち運ぶと中のご飯が片寄るという欠点があった。この欠点を改善したものとして、従来より、特許文献１や特許文献２に知られる技術がある。しかし、特許文献１の弁当箱では、弁当入れ物本体内部に多数箇所の凹凸突起仕切を設けた構造であり、構造が複雑で洗いにくく、また、食べにくいという問題点があった。また、特許文献２の弁当箱では、プラスチック製の軸に多数個のへらを取り付けたものから構成される御飯定着器具を用いることから、弁当箱の部品点数が多く、構造が複雑で洗いにくいという問題点があった。
【特許文献１】特開2004−16777号
【特許文献２】特開平10−99120号
【発明の開示】
【発明が解決しようとする課題】
【０００３】
上記に記したとおり、特開2004−16777号、特開平10−99120号は、弁当箱の御飯の片寄りを防ぐために取り付けた多数箇所の凹凸突起や多数個のヘラの構造が複雑である。そのため利用者が使いにくく、コストもかかり、そして洗いにくい。そこで、従来の片寄りを防ぐ弁当箱に対し、使いやすさや、洗いやすさを向上させ、利用者が簡単に使えるようにすることを課題とする。
【課題を解決するための手段】
【０００４】
請求項１に係る発明は、蓋と容器本体を備える弁当箱において、容器本体の上面開口部に蓋を閉めたときに、容器本体内の内容物を上から押さえる押さえ部を蓋の裏面に設け、押さえ部の縦断面形状を、蓋の縁部から中心部へ向かうに従って、容器本体側に滑らかに膨出する形状としたことを特徴とするものである。
【０００５】
請求項１に係る発明によると、蓋の裏面に設けた押さえ部は、中央部分が盛り上がっているために、蓋を閉めたときに中央部分の内容物（ご飯など）を特に押える役目をする。このことにより、容器本体内の内容物の中央部分は圧縮されて密度が高くなり、外側のご飯が中央に寄って来ないという作用を奏する。また、押さえ部は蓋の縁部から中心部に向けて滑らかに盛り上がるから、内容物全体を中央部分を密に周辺部分を粗に押えて、全体的に片寄りを抑制する。これにより、御飯等の内容物の片寄りをなくすとともに、構造が極めて簡単で、洗いやすく、また、食べやすいものである。
【０００６】
また、請求項２に係る発明は、請求項１記載の弁当箱において、押さえ部の断面形状を円弧形状としたことを特徴とするものである。
【０００７】
また、請求項３に係る発明は、請求項１または請求項２記載の弁当箱において、蓋の裏面に設けた押さえ部を中空構造にして、弁当箱の付属物を収納できるようにしたことを特徴とするものである。
【０００８】
また、請求項４に係る発明は、蓋と容器本体を備える弁当箱において、容器本体の上面開口部に蓋を閉めたときに、容器本体内の仕切りにより仕切られた内容物を上から押さえる押さえ部を蓋の裏面に設け、押さえ部の縦断面形状を、蓋の縁部から中心部に向かうに従って、容器本体側に滑らかに膨出する形状としたことを特徴とするものである。
【発明の効果】
【０００９】
以上の説明より、本発明は、弁当箱の中の内容物の片寄りを防ぎ、構造が極めて簡単で、利用者が使いやすく、そして洗いやすい構造になっている。
【発明を実施するための最良の形態】
【００１０】
以下、図面によって本発明の実施の形態について説明する。
【００１１】
図１の弁当箱の容器は、御飯等をつめる容器本体１と蓋２で構成されており、蓋２の裏面４に突起状の形状の押さえ部３が設けられている。すなわち、図１の弁当箱は、蓋２と容器本体１を備える弁当箱において、容器本体１の上面開口部１ａに蓋２を閉めたときに、容器本体１内の内容物Ｍを上から押さえる突起状の押え部３を蓋２の裏面４に設け、押さえ部３の縦断面形状を、蓋２の裏面４の縁部から中心部へ向かうに従って、容器本体１側に滑らかに膨出する形状としたことを特徴としている。
【００１２】
図２は図１の弁当箱を上から見た図であり、上から見ると点線で示す略円形の押え部３が蓋２の表面積に対し大きい割合で配置されていることが分かる。この押さえ部３は、上から見て略円形の形状のほか、蓋２の形状に沿った略四角の形状をしてもよい。図３から図４は、容器本体１内に御飯等の内容物Ｍをつめて、その上から蓋２を閉める状態を示している。蓋２の裏面４の押さえ部３は横から見ると、縦断面形状が円弧状をしているので、蓋２を閉めたとき、内容物Ｍの中心部分を周辺よりもより圧縮して中心部分の密度が高くなるとともに、外側部分の密度が粗になる。これにより、外側の内容物が中央に寄らず、通学時にカバンに弁当箱を立てて入れても、内容物Ｍが片寄ることがない。
【００１３】
図５は、弁当箱の蓋２を裏返したもので、押さえ部３の突起部をかまぼこ型の形状にした例を示したものである。
【００１４】
図６は、容器本体１内に仕切り板５を設けた一段分離型の弁当箱を示している。図６の構造の弁当箱は、蓋２と容器本体１を備える弁当箱において、容器本体１の上面開口部１ａに蓋２を閉めたときに、容器本体１内の仕切り板５により複数に仕切られた一方の内容物Ｍを上から押さえる押さえ部３を蓋２の裏面の一部に設け、押さえ部３の縦断面形状を、蓋２の裏面４の縁部から中心部に向かうに従って、容器本体側に滑らかに膨出する形状としたことを特徴としている。なお、仕切り板５により複数に仕切られた内容物Ｍのそれぞれを押える押さえ部３を複数に分割して蓋２の裏面４に設けるようにしてもよい。
【００１５】
図７は上下に二段に分離した弁当箱の例を示したものである。図７の弁当箱は、容器本体１の上面開口部が中蓋６により閉じられ、中蓋６の上面開口部が上蓋７により閉じられた構造をしており、中蓋６の裏面に容器本体１内の内容物を上から押える押さえ部３が設けられている。なお、図示例では中蓋６内の空間にも内容物を詰めてよく、その場合、上蓋７の裏面に押え部を設けるようにしてもよい。
【００１６】
図８は、押さえ部３の突起形状に空間部８を設けた例であり、蓋２の上面から押さえ部３にかけて空間部８を設け、また空間部８の上面開口部を閉じる収納蓋９を設けて、空間部８を収納部とし、箸や醤油等の弁当箱の付属物を収納できるようにしたことを特徴としている。
【００１７】
図９は、蓋２の裏面４の縁部から中心部に向かう押さえ部３の形状をアーチ型にした例である。
【００１８】
図１０は、蓋２の裏面４に分離型押さえ部１０を嵌め込み式にした例で、従来の弁当箱の蓋に対しても適用できるものである。
【図面の簡単な説明】
【００１９】
【図１】本発明の一実施形態を示す弁当箱の斜視図
【図２】図１の弁当箱を上から見た図
【図３】図１の弁当箱の容器本体と蓋の断面図
【図４】図３の容器本体に蓋を閉めた状態の断面図
【図５】押さえ部がかまぼこ型である蓋を裏返して見た図
【図６】一段分離型の弁当箱を示す断面図
【図７】二段分離型の弁当箱を示す断面図
【図８】押さえ部に空間部を設けて収納部とした蓋の断面図
【図９】押さえ部がアーチ型である蓋の断面図
【図１０】押さえ部がはめ込み式である蓋の断面図
【符号の説明】
【００２０】
１  弁当箱の容器本体
２  蓋
３  押さえ部
４  御飯と接する方の裏面
５  仕切り板
６  中蓋
７  上蓋
８  蓋の空間部
９  収納蓋
１０  分離型押さえ部
【図１】
2007283020.tif 000003
【図２】
2007283020.tif 000004
【図３】
2007283020.tif 000005
【図４】
2007283020.tif 000006
【図５】
2007283020.tif 000007
【図６】
2007283020.tif 000008
【図７】
2007283020.tif 000009
【図８】
2007283020.tif 000010
【図９】
2007283020.tif 000011
【図１０】
2007283020.tif 000012
【手続補正書】
【提出日】平成18年9月28日(2006.9.28)
【手続補正１】
【補正対象書類名】特許請求の範囲
【補正対象項目名】全文
【補正方法】変更
【補正の内容】
【特許請求の範囲】
【請求項１】
蓋と容器本体を備える弁当箱において、容器本体の上面開口部に蓋を閉めたときに、容器本体内の内容物を上から押さえる押さえ部を蓋の裏面に設け、押さえ部の縦断面形状を、内容物全体を中央部分を密に周辺部分を粗に押えるように、蓋の縁部から中心部へ向かうに従って、容器本体側に滑らかに膨出する円弧形状としたことを特徴とする弁当箱。
【請求項２】
請求項１記載の弁当箱において、蓋の裏面に設けた押さえ部を中空構造にして、弁当箱の付属物を収納できるようにしたことを特徴とする弁当箱。
【手続補正２】
【補正対象書類名】明細書
【補正対象項目名】０００４
【補正方法】変更
【補正の内容】
【０００４】  請求項１に係る発明は、蓋と容器本体を備える弁当箱において、容器本体の上面開口部に蓋を閉めたときに、容器本体内の内容物を上から押さえる押さえ部を蓋の裏面に設け、押さえ部の縦断面形状を、内容物全体を中央部分を密に周辺部分を粗に押えるように、蓋の縁部から中心部へ向かうに従って、容器本体側に滑らかに膨出する円弧形状としたことを特徴とするものである。
【手続補正３】
【補正対象書類名】明細書
【補正対象項目名】０００６
【補正方法】変更
【補正の内容】
【０００６】  また、請求項２に係る発明は、請求項１記載の弁当箱において、蓋の裏面に設けた押さえ部を中空構造にして、弁当箱の付属物を収納できるようにしたことを特徴とするものである。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】